(57)【要約】【課題】  非接触型ＩＣカードを内蔵した携帯端末において、ユーザが端末内における非接触型ＩＣカードの配置場所を考慮せずに使用可能とし、端末設計時の制約を減らし、設計自由度を上げる。【解決手段】  非接触型ＩＣカード機能用の第１，第２のアンテナコイル１１，１２と、それらアンテナコイル１１，１２の出力を各々積分する第１，第２の積分回路２１，２２とアンテナコイル１１，１２の出力の何れか一つを選択的に切り替え出力する切り替えスイッチ２４と、各積分回路２１，２２の出力に基づいて切り替えスイッチ２４を制御するスイッチ制御回路２５と、切り替えスイッチ２４を介したアンテナ出力により電力供給を受けて動作すると共にそのアンテナを介してデータ通信を行うＩＣチップ１０とを有する。そして第１のアンテナコイル１１は筐体の一方の筐体壁内側近傍に、第２のアンテナコイル１２は他方の筐体壁内側近傍に配されている。【選択図】  図４
2006013777.tif 000002
【特許請求の範囲】
【請求項１】
非接触型ＩＣカード機能用の第１，第２の少なくとも二つのアンテナと、
上記各アンテナの出力をそれぞれ積分する積分手段と、
上記各アンテナの出力の何れか一つを選択的に切り替え出力する選択出力手段と、
上記積分手段の出力に基づいて上記選択出力手段の切り替え動作を制御する切り替え制御手段と、
上記選択出力手段にて切り替えられたアンテナ出力により電力の供給を受けて動作すると共に当該アンテナを介したデータ通信を行う通信手段とを有し、
上記第１のアンテナは、筐体の一方の筐体壁側近傍に配され、
上記第２のアンテナは、上記第１のアンテナが配されている筐体壁に相対応する他方の筐体壁側近傍に配されている
ことを特徴とする携帯端末。
【請求項２】
請求項１記載の携帯端末であって、
上記切り替え制御手段は、上記各アンテナ出力を上記積分手段にてそれぞれ積分した各積分出力のうち、値が大きい方の積分出力に対応したアンテナ出力を選択するよう上記選択出力手段を制御することを特徴とする携帯端末。
【請求項３】
請求項２記載の携帯端末であって、
上記切り替え制御手段は、上記各アンテナ出力を上記積分手段にてそれぞれ積分した各積分出力のうち、値が所定基準値より小さい方の積分出力に対応したアンテナ出力を選択するよう上記選択出力手段を制御することを特徴とする携帯端末。
【請求項４】
請求項１に記載の携帯端末であって、
上記通信手段は、第１，第２の少なくとも二つの通信手段からなり、
上記切り替え制御手段は、上記各アンテナの出力を時分割的に上記各通信手段へ切り替え出力させるよう上記選択出力手段を制御することを特徴とする携帯端末。
【請求項５】
請求項４記載の携帯端末であって、
上記切り替え制御手段は、上記各アンテナ出力を上記積分手段にてそれぞれ積分した各積分出力のうち、値が大きい方の積分出力に対応したアンテナ出力を選択するよう上記選択出力手段を制御することを特徴とする携帯端末。
【請求項６】
請求項５記載の携帯端末であって、
上記切り替え制御手段は、上記各アンテナ出力を上記積分手段にてそれぞれ積分した各積分出力のうち、値が所定基準値より小さい方の積分出力に対応したアンテナ出力を選択するよう上記選択出力手段を制御することを特徴とする携帯端末。
【請求項７】
請求項１乃至請求項６のうち、何れか一項に記載の携帯端末であって、
上記筐体は、第１，第２の少なくとも二つの筐体と、それら各筐体を連結すると共に各筐体間の位置関係を変更可能とする連結手段とからなり、
上記第１のアンテナは、第１の筐体の所定の筐体壁側近傍に配され、
上記第２のアンテナは、第２の筐体の所定の筐体壁側近傍に配されていることを特徴とする携帯端末。
【発明の詳細な説明】
【技術分野】
【０００１】
本発明は、非接触状態にて近距離無線通信を行う非接触型ＩＣカード機能を備えた携帯端末に関する。
【背景技術】
【０００２】
近年は、例えば入出金や決済、利用履歴や個人情報の記憶などの各種機能を備えた非接触型のＩＣ（Integrated Circuit）カードを使用して、商品の購入時の代金精算や電車，バス等の交通機関の運賃精算等を行う電子現金取引が実用化されつつある。また、最近は、非接触型ＩＣカードを内蔵した携帯端末も登場している。
【０００３】
上記非接触型のＩＣカードは、データの書き込みと読み出しがなされるメモリや当該メモリへのデータ書き込みと読み出し等の各種処理を行うための電子回路が集積されたＩＣチップと、導線が渦巻き状に巻かれたアンテナコイルとを備えている。ここで、当該非接触型ＩＣカードは電源を内蔵しておらず、上記ＩＣチップを動作させるための電力は、いわゆる電磁誘導方式によりリーダ／ライタ（読み取り／書き込み装置）から供給される。また、リーダ／ライタは、上記非接触型ＩＣカードへの電力供給と同時に、当該非接触型ＩＣカードに対してデータの読み取りや書き込み等を行わせるためのコマンドの送信や、非接触型ＩＣカードへ書き込ませるデータの送信、非接触型ＩＣカードから読み出されたデータの受信等を行う。すなわち、リーダ／ライタは、自己が備えるアンテナコイルから非接触型ＩＣカードへ電力とデータを組み合わせた信号を送信し、非接触型ＩＣカードは、その信号を受信してＩＣチップを起動するための電力に変換すると同時に、その信号からデータを抜き出す。非接触型ＩＣカードのＩＣチップは、データに含まれるコマンドに応じて、メモリ内のデータの読み出しや書き込みの処理を行うと共に、リーダ／ライタへデータを送信する際には、メモリから読み出したデータを所定の搬送周波数に乗せて送信する。
【０００４】
なお、特開２００１−２３８３７２の公開特許公報（特許文献１）には、非接触型ＩＣカードシステムにおいて、送信側或いは受信側のアンテナコイルにインピーダンス整合回路を接続し、電力送受信状態に応じてインピーダンス整合条件を切り替えることで、効率的な電力供給を可能とした技術が開示されている。
【０００５】
また、特開２００２−１０９４８０の公開特許公報（特許文献２）には、搬送電力の大きさをリード時とライト時とで異ならしめて、ＩＣカードとリーダライタ装置との間の感応領域の位置と大きさを一致させるようにした技術が開示されている。
【０００６】
【特許文献１】特開２００１−２３８３７２公報（第２図）
【特許文献１】特開２００２−１０９４８０公報（第１図）
【発明の開示】
【発明が解決しようとする課題】
【０００７】
ところで、上述したように、非接触型ＩＣカードとリーダ／ライタとの間では、電磁誘導方式により電力の供給とデータの送受信が行われるため、それら非接触型ＩＣカードとリーダ／ライタと間の距離には、例えばインピーダンス整合のため等の理由から最適な距離が存在する。すなわち、非接触型ＩＣカードとリーダ／ライタと間の距離が、例えば遠すぎたり逆に近すぎたりすると、非接触型ＩＣカードが所要の電力を得難くなり、データの読み出し或いは書き込みが正常に行えなくなる可能性がある。特に、携帯端末に非接触型ＩＣカードを内蔵させているような場合、非接触型ＩＣカードとリーダ／ライタとの間の通信は当該携帯端末の筐体等を介して行われることになるため、それら非接触型ＩＣカードとリーダ／ライタとの間の距離を最適にすることが難しくなる。また、携帯端末に非接触型ＩＣカードが内蔵されている場合、当該携帯端末のユーザは、その端末内における非接触型ＩＣカードの配置場所を考慮してリーダ／ライタに近づけるような配慮が必要となり、ユーザにとって非常に使い難いものとなる。
【０００８】
一方、非接触型ＩＣカードを携帯端末に内蔵させる場合、当該端末の設計者は、非接触型ＩＣカードとリーダ／ライタが良好な通信を行えるように、筐体の材質や厚み、基板の材質、シールド板の位置、輻射ノイズの影響等を考慮した設計を行わなければならない。すなわち、非接触型ＩＣカードを携帯端末に内蔵させる場合には、設計上の制約が多くなり、また、設計の自由度も制限されてしまう。
【０００９】
本発明は、このような課題に鑑みてなされたものであり、非接触型ＩＣカードを内蔵した携帯端末において、ユーザが当該端末内における非接触型ＩＣカードの配置場所を考慮せずに使用できるようにし、また、端末設計時の制約を減らし、設計自由度を上げることを可能にする非接触型ＩＣカード機能付きの携帯端末を提供することを目的とする。
【課題を解決するための手段】
【００１０】
本発明の携帯端末は、非接触型ＩＣカード機能用の第１，第２の少なくとも二つのアンテナと、各アンテナの出力をそれぞれ積分する積分手段と、各アンテナの出力の何れか一つを選択的に切り替え出力する選択出力手段と、積分手段の出力に基づいて選択出力手段の切り替え動作を制御する切り替え制御手段と、選択出力手段にて切り替えられたアンテナ出力により電力の供給を受けて動作すると共に当該アンテナを介したデータ通信を行う通信手段とを有し、第１のアンテナは筐体の一方の筐体壁側近傍に配され、第２のアンテナは他方の筐体壁側近傍に配されていることにより、上述した課題を解決する。
【００１１】
すなわち、本発明によれば、第１，第２のアンテナが筐体の一方と他方の筐体壁側近傍に配され、それら第１，第２のアンテナの出力に基づいて選択されたアンテナ出力を用いるようにしているため、筐体の二つの主面の何れ側がリーダ／ライタに近接された場合でも、リーダ／ライタから電力の供給を受けてデータ通信を行うことが可能となる。
【発明の効果】
【００１２】
本発明においては、非接触型ＩＣカードを内蔵した携帯端末において、非接触型ＩＣカード機能用の第１，第２のアンテナを筐体の一方と他方の筐体壁側近傍に配し、第１，第２のアンテナの出力に基づいて選択されたアンテナ出力を用いるようにしているため、当該端末のユーザは、端末内における非接触型ＩＣカードの配置場所を考慮せずに使用でき、また、当該端末の設計時には、端末設計時の制約が減り、高い設計自由度にて筐体設計が可能となっている。
【発明を実施するための最良の形態】
【００１３】
以下、図面を参照しながら、本発明の非接触型ＩＣカード機能付きの携帯端末の一実施形態について説明する。なお、本実施形態では、本発明の非接触型ＩＣカード機能付き携帯端末の一例として、携帯電話端末を挙げているが、勿論、ここで説明する内容はあくまで一例であり、本発明はこの例に限定されないことは言うまでもない。
【００１４】
〔携帯電話端末の概略構成〕
図１と図２には、本発明実施形態の携帯電話端末の外観を示す。なお、図１は、本発明実施形態の携帯電話端末を正面側から観た概略外観図を示し、図２には、背面側から観た概略外観図を示している。
【００１５】
本実施の形態の携帯電話端末は、例えば第１の筐体１と第２の筐体２を有し、ヒンジ部（連結手段）６を介して第１の筐体１と第２の筐体２が折り重なるように二つ折り可能になされた、いわゆる折り畳み式の携帯電話端末であり、図１，図２は当該携帯電話端末を開いた状態（以下、開状態と呼ぶ）を示している。すなわち本実施形態の携帯電話端末は、第１の筐体１と第２の筐体がヒンジ部６により連結され、そのヒンジ部６を介して各筐体間の位置関係を変更可能となされた端末である。
【００１６】
図１に示すように、第１の筐体１には、例えば液晶デバイスにより構成されたメインディスプレイ３や受話用のスピーカ５等が備えられている。また、図２に示すように、第１の筐体１の背面側には、液晶デバイスにより構成されたサブディスプレイ１８やカメラ部９、当該カメラ部９にて撮影を行う際の撮影補助光を発光する撮影補助ライト用ＬＥＤ１９等が備えられている。
【００１７】
一方、第２の筐体２には、携帯電話端末の主要な回路構成が内蔵されている。この第２の筐体２の上面（折り畳んだ際に第１の筐体１のメインディスプレイ３面と対向する面）には、電話番号や文字等を入力するためのキーボタンであるテンキー（１２キー）４や、発話キー、クリアキー、終話／電源キーなどの各キー、ジョグダイアル部８等からなる操作部と、送話用のマイクロホン７等が設けられている。
【００１８】
なお、携帯電話端末が通常備えているその他の構成の図示及びその説明については省略する。
【００１９】
〔非接触型ＩＣカード機能の概略構成〕
図３には、本発明実施形態の携帯電話端末を折り畳んだ状態（以下、閉状態と呼ぶ）で当該端末を側面側から見た概略的な透視図を示している。
【００２０】
この図３に示す本実施形態の携帯電話端末において、非接触型ＩＣカード機能用のＩＣチップ１０は、例えば第２の筐体２内に設けられている。なお、当該ＩＣチップ１０は、アンテナコイルを介してリーダ／ライタから電力の供給を受けて動作すると共に、データの書き込みと読み出しがなされるメモリや当該メモリへのデータ書き込みと読み出し等の各種処理を行うための通信用電子回路が集積されたものである。
【００２１】
また、本実施形態の携帯電話端末において、非接触型ＩＣカード用のアンテナコイルとしては、第１の筐体１内に第１のアンテナコイル１１と、第２の筐体２内に第２のアンテナコイル１２の少なくとも二つが設けられている。第１のアンテナコイル１１は、当該端末が閉状態の時に第１の筐体１内において外側となる筐体壁側近傍、つまり第１の筐体１のメインディスプレイ３が設置されている筐体壁と相対向する筐体壁側近傍で且つディスプレイ面と平行に配されている。一方、第２のアンテナコイル１２は、当該端末が閉状態の時に第２の筐体２内において外側となる筐体壁側近傍、つまり第２の筐体２の操作部が設置されている筐体壁と相対向する筐体壁側近傍で且つディスプレイ面（操作部面）と平行に配されている。そして、上記第２の筐体２内に配されている第２のアンテナコイル１２は、同じく第２の筐体２内のＩＣチップ１０と接続され、一方、第１の筐体１内に配されている第１のアンテナコイル１１は、フレキシブル基板１３等を介して、第２の筐体２内のＩＣチップ１０と接続されている。
【００２２】
そして、本実施形態において、携帯電話端末と非接触型ＩＣカード用のリーダ／ライタとの間で通信を行わせる場合、ユーザは、図３の閉状態となっている携帯電話端末の第１の筐体１側、つまり上記第１のアンテナコイル１１が配されている筐体壁側を上記リーダ／ライタに近づけるか、若しくは、閉状態の携帯電話端末の第２の筐体２側、つまり第２のアンテナコイル１２が配されている筐体壁側を上記リーダ／ライタに近づけることになる。すなわち、本実施形態によれば、第１の筐体１と第２の筐体の何れがリーダ／ライタにかざされても、それらに内蔵された第１のアンテナコイル１１と第２のアンテナコイル１２の何れかが、リーダ／ライタからの微弱電磁波を検出し、通信が可能となされている。
【００２３】
〔アンテナコイルとＩＣチップとの間の接続構成の第１の実施形態〕
本発明の第１の実施形態として、図４には、第１のアンテナコイル１１と第２のアンテナコイル１２の各出力の積分値に応じて、何れか一方のアンテナコイルを選択的にＩＣチップ１０に接続するための回路構成例を示す。
【００２４】
図４において、第１のアンテナコイル１１と第２のアンテナコイル１２は、それぞれリーダ／ライタからの微弱電磁波により終端抵抗（インピーダンス）に生じた電圧を検出する。第１のアンテナコイル１１は、第１の積分回路２１と切り替えスイッチ２４の第１の被切り替え端子ａに接続されており、第２のアンテナコイル１２は、第２の積分回路２２と切り替えスイッチ２４の第２の被切り替え端子ｂに接続されている。そして、当該切り替えスイッチ２４の共通端子は、ＩＣチップ１０に接続されている。
【００２５】
第１の積分回路２１の出力端子は、コンパレータ２３の第１の入力端子ａに接続され、第２の積分回路２２の出力端子は、コンパレータ２３の第２の入力端子ｂに接続されている。コンパレータ２３は、第１，第２の積分回路２１，２２からの両積分出力、つまり第１のアンテナコイル１１の出力の積分値と、第２のアンテナコイル１１２の出力の積分値とを比較し、その比較出力をスイッチ制御回路２５へ送る。
【００２６】
スイッチ制御回路２５は、コンパレータ２３の比較出力に基づいて、第１の積分回路２１による第１のアンテナコイル１１の出力の積分値と、第２の積分回路２２による第２のアンテナコイル１２の出力の積分値の何れが大きいかを判断し、積分値の大きい方のアンテナコイルと、ＩＣチップ１０とを接続するように、切り替えスイッチ２４の切り替え動作を制御する。すなわち、第２のアンテナコイル１２の出力の積分値よりも第１のアンテナコイル１１の出力の積分値の方が大きいことを、上記コンパレータ２３の比較出力が示している場合、スイッチ制御回路２５は、第１の被切り替え端子ａ側に切り替えられるように上記切り替えスイッチ２４を制御する。逆に、第１のアンテナコイル１１の出力の積分値よりも第２のアンテナコイル１２の出力の積分値の方が大きいことを、コンパレータ２３の比較出力が示している場合、スイッチ制御回路２５は、第２の被切り替え端子ｂ側に切り替えられるように上記切り替えスイッチ２４を制御する。
【００２７】
これにより、当該第１の実施形態の場合、ＩＣチップ１０には、第１のアンテナコイル１１と第２のアンテナコイル１２のうち、受信電力が大きい方のアンテナコイルの出力が供給されることになる。言い換えれば、本実施形態においては、第１のアンテナコイル１１と第２のアンテナコイル１２を用いて、いわゆるアンテナダイバーシチに準じた通信が行われている。
【００２８】
〔アンテナコイルとＩＣチップとの間の接続構成の第２の実施形態〕
本発明の第２の実施形態として、図５には、第１のアンテナコイル１１と第２のアンテナコイル１２の各出力の積分値が所定範囲に入っている方のアンテナコイルを選択的にＩＣチップ１０に接続するための回路構成例を示す。なお、図５の説明において、図４の例と同一の構成要素には図４と同じ指示符号を付し、それらの詳細については省略する。
【００２９】
図５において、第１の積分回路２１の出力端子は、第１のオン／オフスイッチ３１を介してコンパレータ２３の第１の入力端子ａに接続されると共に、第１のコンパレータ３３の一方の入力端子ｃに接続されている。第２の積分回路２２の出力端子は、第２のオン／オフスイッチ３２を介してコンパレータ２３の第２の入力端子ｂに接続されると共に、第２のコンパレータ３４の一方の入力端子ｃに接続されている。また、第１のコンパレータ３３の他方の入力端子ｄと、第２のコンパレータ３４の他方の入力端子ｄには、それぞれ所定の基準電圧Ｖrefが供給されている。そして、上記第１のコンパレータ３３は、第１の積分回路２１からの積分出力つまり第１のアンテナコイル１１の出力の積分値と、上記所定の基準電圧Ｖrefとを比較し、第１のアンテナコイル１１の出力の積分値が上記所定の基準電圧Ｖrefを越えたときには、その旨を表す信号をスイッチ制御回路３５へ送る。同様に、上記第２のコンパレータ３４は、第２の積分回路２２からの積分出力つまり第２のアンテナコイル１２の出力の積分値と、上記所定の基準電圧Ｖrefとを比較し、第２のアンテナコイル１２の出力の積分値が上記所定の基準電圧Ｖrefを越えたときには、その旨を表す信号をスイッチ制御回路３５へ送る。なお、第１のアンテナコイル１１と第２のアンテナコイル１２は、前述の図３に示したように本実施形態の携帯電話端末が閉状態のとき、それぞれ離れた位置に配されることになるため、通常の使用状態において、第１のアンテナコイル１１の出力の積分値と第２のアンテナコイル１２の出力の積分値の両方が同時に上記所定の基準電圧Ｖrefを越えることはない。
【００３０】
スイッチ制御回路３５は、第１のコンパレータ３３と第２のコンパレータ３４の何れかから、上記所定の基準電圧Ｖrefを越えたことを示す信号を受け取ると、上記第１，第２のオン／オフスイッチ３１，３２のうち、当該信号に対応した方をオフとし、他方をオンにするスイッチ制御を行う。すなわち、第１のコンパレータ３３から上記所定の基準電圧Ｖrefを越えたことを示す信号を受け取った場合、つまり第１のアンテナコイル１１の出力の積分値が所定の基準電圧Ｖrefを越えているとき、スイッチ制御回路３５は、上記第１のオン／オフスイッチ３１をオフ制御し、上記第２のオン／オフスイッチ３２をオン制御する。逆に、第２のコンパレータ３４から上記所定の基準電圧Ｖrefを越えたことを示す信号を受け取った場合、つまり第２のアンテナコイル１２の出力の積分値が所定の基準電圧Ｖrefを越えているとき、スイッチ制御回路３５は、上記第２のオン／オフスイッチ３２をオフ制御し、上記第１のオン／オフスイッチ３１をオン制御する。
【００３１】
そして、スイッチ制御回路３５が上記第１のオン／オフスイッチ３１をオフ制御し、上記第２のオン／オフスイッチ３２をオン制御した場合、コンパレータ２３からは、第２の入力端子ｂ側の積分出力値が第１の入力端子ａ側の積分出力値より大きいことを示す比較結果が出力されることになり、したがってこの時のスイッチ制御回路２５は、第２の被切り替え端子ｂ側に切り替えられるように上記切り替えスイッチ２４を制御することになる。逆に、スイッチ制御回路３５が上記第２のオン／オフスイッチ３２をオフ制御し、上記第１のオン／オフスイッチ３１をオン制御した場合、コンパレータ２３からは、第１の入力端子ａ側の積分出力値が第２の入力端子ｂ側の積分出力値より大きいことを示す比較結果が出力されることになり、したがってこの時のスイッチ制御回路２５は、第１の被切り替え端子ａ側に切り替えられるように上記切り替えスイッチ２４を制御することになる。
【００３２】
すなわち、当該第２の実施形態の場合、第１のアンテナコイル１１と第２のアンテナコイル１２のうち、出力の積分値が規定値よりも大きすぎる方のアンテナコイルの出力、つまり、リーダ／ライタから近すぎる方のアンテナコイルの出力は、ＩＣチップ１０に供給されないことになる。このため、この第２の実施形態によれば、リーダ／ライタとの間の距離が最適なアンテナコイルにより、当該リーダ／ライタとの通信が可能となる。
【００３３】
〔アンテナコイルとＩＣチップとの間の接続構成の第３の実施形態〕
本発明の第３の実施形態として、図６には、第１，第２の二つのＩＣチップ５０，５１を備えた携帯電話端末において、第１のアンテナコイル１１と第２のアンテナコイル１２の両出力の積分値が所定範囲に入っている方のアンテナコイルを選択すると共に、その選択されたアンテナコイルを第１，第２の二つのＩＣチップ５０，５１に時分割的に接続するための回路構成例を示す。なお、図６の説明において、図４，図５の例と同一の構成要素には図４，図５と同じ指示符号を付し、それらの詳細については省略する。
【００３４】
図６において、第１のアンテナコイル１１は、第１の積分回路２１と第１の切り替えスイッチ４１の第１の被切り替え端子ａ及び第２の切り替えスイッチ４２の第１の被切り替え端子ａに接続されている。第２のアンテナコイル１２は、第２の積分回路２２と第１の切り替えスイッチ４１の第２の被切り替え端子ｂ及び第２の切り替えスイッチ４２の第２の被切り替え端子ｂに接続されている。そして、第１の切り替えスイッチ４１の共通端子は第１のＩＣチップ５０に接続され、第２の切り替えスイッチ４２の共通端子は第２のＩＣチップ５１に接続されている。
【００３５】
また、第１の積分回路２１の出力端子は、第１のコンパレータ３３の一方の入力端子ｃに接続されており、第２の積分回路２２の出力端子は、第２のコンパレータ３４の一方の入力端子ｃに接続されている。
【００３６】
上記第１のコンパレータ３３は、第１の積分回路２１からの積分出力つまり第１のアンテナコイル１１の出力の積分値と、所定の基準電圧Ｖrefとを比較し、第１のアンテナコイル１１の出力の積分値が上記所定の基準電圧Ｖrefを越えたときには、その旨を表す信号をスイッチ制御回路４３へ送る。同様に、上記第２のコンパレータ３４は、第２の積分回路２２からの積分出力つまり第２のアンテナコイル１２の出力の積分値と、所定の基準電圧Ｖrefとを比較し、第２のアンテナコイル１２の出力の積分値が上記所定の基準電圧Ｖrefを越えたときには、その旨を表す信号をスイッチ制御回路４３へ送る。
【００３７】
この第３の実施形態において、スイッチ制御回路４３は、第１のコンパレータ３３と第２のコンパレータ３４の何れかから、上記所定の基準電圧Ｖrefを越えたことを示す信号を受け取ると、上記第１，第２の切り替えスイッチ４１，４２のうち当該信号に対応した方の被切り替え端子を選択しないように制御すると共に、第１，第２の切り替えスイッチ４１，４２の他方の被切り替え端子を所定の時間毎に交互に選択するような切り替え制御を行う。すなわち、第１のコンパレータ３３から上記所定の基準電圧Ｖrefを越えたことを示す信号を受け取った場合、つまり第１のアンテナコイル１１の出力の積分値が所定の基準電圧Ｖrefを越えているとき、スイッチ制御回路４３は、上記第１，第２の切り替えスイッチ４１，４２の第１の被切り替え端子ａを選択しないようにすると同時に、第１の切り替えスイッチ４１の第２の被切り替え端子ｂと第２の切り替えスイッチ４２の第２の被切り替え端子ｂとを、所定の時間毎に交互に選択するような切り替え制御を行う。逆に、第２のコンパレータ３４から上記所定の基準電圧Ｖrefを越えたことを示す信号を受け取った場合、つまり第２のアンテナコイル１２の出力の積分値が所定の基準電圧Ｖrefを越えているとき、スイッチ制御回路４３は、上記第１，第２の切り替えスイッチ４１，４２の第２の被切り替え端子ｂを選択しないようにすると同時に、第１の切り替えスイッチ４１の第１の被切り替え端子ａと第２の切り替えスイッチ４２の第１の被切り替え端子ａとを、所定の時間毎に交互に選択するような切り替え制御を行う。
【００３８】
これにより、当該第３の実施形態によれば、第１のアンテナコイル１１と第２のアンテナコイル１２のうち、出力の積分値が規定値よりも大きすぎる方のアンテナコイルの出力、つまりリーダ／ライタから近すぎる方のアンテナコイルの出力を用いず、リーダ／ライタとの間の距離が最適なアンテナコイルの出力が、時分割的に第１，第２のＩＣチップ５０，５１に供給されることになる。
【００３９】
〔携帯電話端末の内部回路構成〕
次に、図７には、本発明実施形態の携帯電話端末の概略的な内部構成を示す。
【００４０】
アンテナ６２は、例えば内蔵アンテナであり通話やパケット通信のための信号電波の送受信を行う。通信回路６３は、送受信信号の周波数変換、変調と復調等を行う。なお、パケット通信により送受信されるデータは、画像データや電子メール、プログラムデータ、その他の各種データである。
【００４１】
受信された通話音声のデータは、データラインを介して制御部６１へ送られる。制御部６１は、ＣＰＵ（中央処理装置）からなり、通話音声データを復号化し、その復号化後の音声データをデータラインを介してスピーカ６９へ送る。
【００４２】
スピーカ６９は、前述した受話用のスピーカ５やリンガ用のスピーカに相当し、ディジタル／アナログ変換器と増幅器を含み、通話音声やリンガ音のデータをディジタル／アナログ変換及び増幅した後、出力する。これにより、通話音声やリンガ音が得られることになる。
【００４３】
一方、マイクロホン７０は、送話用のマイクロホン７に対応し、アナログ／ディジタル変換器と増幅器を含む。このマイクロホン７０を介して入力された通話音声信号は、増幅器により所定のレベルに増幅された後、アナログ／ディジタル変換器によりディジタル音声データに変換され、データラインを介して制御部６１へ送られて符号化された後、通信回路６３へ送られる。
【００４４】
表示制御部６６は、第１の筐体１のメインディスプレイ３であるメイン表示部６５とサブディスプレイ１８であるサブ表示部６７の表示を制御する。
【００４５】
操作部６８は、第２の筐体２の操作部に対応し、キーやジョグダイアル部、それらの操作に応じた操作信号を発生する操作信号発生部を有している。
【００４６】
メモリ６４は、ＲＯＭ（Read Only Memory）とＲＡＭ（Random Access Memory）を含む。ＲＯＭは、制御部６１が各部を制御するための制御プログラムや各種の初期設定値、フォントデータ、辞書データ、本実施形態における非接触型ＩＣカード機能により扱われる情報の処理を行うためのプログラムコード、電子メールの作成や編集等を行うためのアプリケーション用のプログラムコード、画像に対して様々な処理を行うためのアプリケーション用プログラムコード、その他、携帯電話端末に搭載される各種のアプリケーション用のプログラムコード、当該携帯電話端末の識別情報（ＩＤ）などを記憶している。このＲＯＭは、ＥＥＰＲＯＭ（Electrically Erasable Programmable Read-Only Memory）のような書き換え可能なＲＯＭを含み、電子メールデータ、ユーザにより設定される電話帳や電子メールアドレス、カメラ部により撮影された写真画像データ、ダウンロードされた写真データや着信音データ、文字データや予測変換の候補単語の登録データや予測変換の学習データ、その他、各種のユーザ設定値等を保存することも可能となされている。ＲＡＭは、制御部３１が各種のデータ処理を行う際の作業領域として、随時データを格納する。
【００４７】
カメラ部７２は、図２に示したカメラ部９に対応し、レンズ系及びそのレンズ系のフォーカス合わせを自動的に行うためのオートフォーカス機構と、撮像素子等などを備えている。
【００４８】
ＬＥＤ部７１は、当該携帯電話端末の着信ランプやキー照明用ランプ、カメラ部７２による撮影時の撮影補助ライト用として用いられる各ＬＥＤ素子と、それらのＬＥＤ素子に駆動電流を供給する駆動回路とからなる。
【００４９】
非接触通信ＩＣ７３は、上述した図３〜図６の各実施形態のＩＣチップ１０や５０，５１に相当する。
【００５０】
アンテナ選択回路７４は、上述した図３〜図６の各実施形態における積分回路や切り替えスイッチ、コンパレータ、スイッチ制御回路等からなる。
【００５１】
アンテナ７５，７６は、上述した図３〜図６の各実施形態における第１，第２のアンテナコイル１１，１２に相当する。
【００５２】
制御部６１は、上述した通話音声データの符号化や復号化の他、制御ラインを介して当該携帯電話端末の各構成要素の制御等、各種の演算処理を行う。また、本実施形態の場合、制御部６１は、必要に応じて、上記非接触型ＩＣカード機能により扱われる情報の処理を行う。
【００５３】
その他、図７には図示を省略しているが、本実施形態の携帯電話端末は、各部に電力を供給する電源回路や、音楽の録音や再生を行うための音楽録音再生部、ブラウザ機能、外部ケーブル用コネクタ、外部リモートコントローラの接続コネクタ、携帯電話端末の現在位置を検出するための測位デバイスであるＧＰＳ（Global Positioning System）通信部とそのアンテナなどを備えている。
【００５４】
〔まとめ〕
以上説明したように、本発明の第１〜第３の各実施形態の携帯電話端末によれば、図３に示したように、ユーザは、閉状態となっている携帯電話端末の第１の筐体１側か第２の筐体２側の何れか所望の方をリーダ／ライタに近づけるだけで良く、非接触型ＩＣカードの配置場所（具体的にはアンテナコイルの配置場所）を考慮せずに使用することができる。
【００５５】
また、本発明の第１〜第３の実施形態の携帯電話端末によれば、第１，第２の筐体１，２の何れ側からリーダ／ライタへ近づけても、非接触型ＩＣカード機能とリーダ／ライタが良好な通信を行え、輻射ノイズの影響も回避できるため、当該端末の設計者は、筐体の材質や厚み、基板の材質、シールド板の位置、輻射ノイズの影響等を考慮した設計を必ずしも行わなくても良く、したがって、設計上の制約が少なく、高い自由度での設計が可能となる。
【００５６】
さらに、本発明の第３の実施形態の携帯電話端末によれば、一つの端末内に二つ以上の非接触ＩＣカード機能が搭載可能となされており、各々が状態の良いアンテナコイルを時分割的に使用可能となっている。
【００５７】
なお、上述した各実施形態の説明は、本発明の一例である。このため、本発明は上述した各実施形態に限定されることなく、本発明に係る技術的思想を逸脱しない範囲であれば、設計等に応じて種々の変更が可能であることはもちろんである。
【００５８】
例えば、本発明の携帯端末は、携帯電話端末だけでなく、ＰＤＡ装置（PDA：Personal Digital Assistants）等であっても良い。
【００５９】
また、本実施形態の携帯電話端末は、上述した折り畳み型の端末のみならず、いわゆるストレート型の携帯電話端末や、表示部を備えた第１の筐体と操作部を備えた第２の筐体とが上記表示部若しくは操作部の表面に対して略々垂直となされた回転軸を備えたヒンジ機構（連結手段）を介して相互に水平方向に回動自在となされ、上記ヒンジ機構により各筐体間の相対的な位置関係が変更可能となされたいわゆる回転オープン型の携帯電話端末、三つ以上の筐体がヒンジ等の連結手段を介してそれぞれ相対的に回転可能となされた端末、或いは、主に表示部を備えた第１の筐体とその表示部の表示面と同一方向となる表面上に操作部を備えた第２の筐体とが、互いに水平方向に直線的にスライド可能となされたスライド型の携帯電話端末などにも適用可能である。そして、二つのアンテナコイルは、ストレート型の携帯電話端末の場合には例えば端末の表裏両面の筐体壁内側に配置され、回転オープン型，スライド型の携帯電話端末の場合には例えば第１の筐体の表示面側の筐体壁内側と第２の筐体の背面側の筐体壁内側に配置される。
【００６０】
また、本発明にかかる非接触型ＩＣカード用のアンテナは、前述の実施形態で説明した電磁誘導方式に対応したアンテナコイルだけでなく、いわゆるマイクロ波方式に対応したアンテナなど、他の方式のアンテナであっても良い。
【図面の簡単な説明】
【００６１】
【図１】本発明実施形態の携帯電話端末を正面側から観た概略外観図である。
【図２】本発明実施形態の携帯電話端末を背面側から観た概略外観図である。
【図３】本発明実施形態の携帯電話端末を折り畳んだ状態で当該端末を側面側から見た概略的な透視図である。
【図４】本発明の第１の実施形態の非接触型ＩＣカード機能を実現するための回路構成を示すブロック回路図である。
【図５】本発明の第２の実施形態の非接触型ＩＣカード機能を実現するための回路構成を示すブロック回路図である。
【図６】本発明の第３の実施形態の非接触型ＩＣカード機能を実現するための回路構成を示すブロック回路図である。
【図７】本発明実施形態の携帯電話端末の内部構成を示すブロック図である。
【符号の説明】
【００６２】
１  第１の筐体、２  第２の筐体、３  メインディスプレイ、５  スピーカ、６  ヒンジ部、７  マイクロホン、８  ジョグダイアル部、９  カメラ部、１０，５０，５１  ＩＣチップ、１１  第１のアンテナコイル、１２  第２のアンテナコイル、１３  フレキシブル基板、１８  サブディスプレイ、１９  撮影補助ライト用ＬＥＤ、２１  第１の積分回路、２２  第２の積分回路、２３  コンパレータ、２４  切り替えスイッチ、２５，３５，４３  スイッチ制御回路、３１  第１のオン／オフスイッチ、３２  第２のオン／オフスイッチ、３３  第１のコンパレータ、３４  第２のコンパレータ、４１  第１の切り替えスイッチ、４２  第２の切り替えスイッチ、６１  制御部、６２  アンテナ、６３  通信回路、６４  メモリ、６５  メイン表示部、６６  表示制御部、６７  サブ表示部、６８  操作部、６９  スピーカ、７０  マイクロホン、７１  ＬＥＤ部、７２  カメラ部、７３  非接触通信ＩＣ、７４  アンテナ選択回路、７５，７６  アンテナコイル
【図１】
2006013777.tif 000003
【図２】
2006013777.tif 000004
【図３】
2006013777.tif 000005
【図４】
2006013777.tif 000006
【図５】
2006013777.tif 000007
【図６】
2006013777.tif 000008
【図７】
2006013777.tif 000009